(57)【要約】【課題】ＷＬＡＮによりホームネットワークと接続して動画番組が共有可能であると共に、多種多様なユーザの用途に応じて使用環境を設定できる携帯端末を提供する。【解決手段】ホームネットワークを介して共有している動画番組に関する操作を行う際に、携帯端末１を縦方向にして操作を行うと、リモコン画面となり、通常のリモコンと同様に操作を行うことができ、携帯端末１を横方向にして操作を行うと、視聴再生モード又はテレビ視聴モードとなり、ジェスチャー入力により、各種の操作を直感的に行うことができる。これにより、多種多様なユーザの用途に応じて使用環境を設定できる。【選択図】図４
2012253716.tif 000002
【特許請求の範囲】
【請求項１】
ホームネットワークを介して動画番組を共有する手段と、
表示パネルにタッチパネルを積層してなるタッチパネル操作部と、
機器の方向を検出する手段と、
前記ホームネットワークを介して共有している動画番組に関する操作を行う際に、前記検出された機器の方向に応じて、前記タッチパネル操作部を、キーを表示し当該キーへのタッチを検出して所望の動作に設定するモードと、タッチした動きを検出して所望の動作に設定するモードとに切り替える手段と
を具備することを特徴とする携帯端末。
【請求項２】
前記動画番組に関する操作は、前記ホームネットワークを介して接続されたサーバーに蓄積されている動画番組を再生する操作であり、
前記タッチパネルをタッチしてスライドさせることにより、再生番組を切り替える操作を含む
ことを特徴とする請求項１に記載の携帯端末。
【請求項３】
前記動画番組に関する操作は、前記ホームネットワークを介して接続されたテレビ受信機で受信された番組を視聴する操作であり、
前記タッチパネルをタッチしてスライドさせることにより、視聴チャンネルを切り替える操作を含む
ことを特徴とする請求項１に記載の携帯端末。
【請求項４】
前記動画番組に関する操作は、前記ホームネットワークを介して接続されたテレビ受信機で受信された番組を視聴する操作であり、
前記タッチパネルの中心を上下にスライドさせて２画面表示を行い、前記タッチパネルの左側又は右側にタッチされた２つの指を広げる又は狭めるようにスライドさせることにより、前記２画面のうちの左側又は右側の画面を拡大又は縮小させる操作を含む
ことを特徴とする請求項１に記載の携帯端末。
【請求項５】
前記動画番組に関する操作は、前記ホームネットワークを介して接続されたテレビ受信機で受信されたデータ放送を視聴する操作であり、
前記タッチパネル操作部に表示された人物をタッチすると、前記人物の情報を表示する操作を含む
ことを特徴とする請求項１に記載の携帯端末。
【請求項６】
ホームネットワークを介して動画番組を共有する機能を有する携帯端末の操作方法であって、
表示パネルにタッチパネルを積層してなるタッチパネル操作部を設けると共に、機器の方向を検出する手段を設け、
前記ホームネットワークを介して共有している動画番組に関する操作を行う際に、機器の方向を検出し、
前記検出された機器の方向に応じて、前記タッチパネル操作部を、キーを表示し当該キーへのタッチを検出して所望の動作に設定するモードと、タッチした動きを検出して所望の動作に設定するモードとに切り替える
ことを特徴とする携帯端末の操作方法。
【請求項７】
ホームネットワークを介して動画番組を共有する機能を有する電子機器の操作プログラムであって、
前記ホームネットワークを介して共有している動画番組に関する操作をする際に、機器の方向を検出するステップと、
前記検出された機器の方向に応じて、前記タッチパネル操作部を、キーを表示し当該キーへのタッチを検出して所望の動作に設定するモードと、タッチした動きを検出して所望の動作に設定するモードとに切り替えるステップと
を含むことを特徴とするコンピュータにより実行可能な携帯端末の操作プログラム。
【請求項８】
ホームネットワークを介して接続され、共有している動画番組を携帯端末で視聴可能な動画再生システムであって、
前記携帯端末は、
ホームネットワークを介して動画番組を共有する手段と、
表示パネルにタッチパネルを積層してなるタッチパネル操作部と、
前記機器の方向を検出する手段と、
前記ホームネットワークを介して共有している動画番組に関する操作を行う際に、前記検出された機器の方向に応じて、前記タッチパネル操作部を、キーを表示し当該キーへのタッチを検出して所望の動作に設定するモードと、タッチした動きを検出して所望の動作に設定するモードとに切り替える手段とを具備する
ことを特徴とする動画再生システム。
【発明の詳細な説明】
【技術分野】
【０００１】
本発明は、ＷＬＡＮ（Ｗｉｒｅｌｅｓｓ  Ｌｏｃａｌ  Ａｒｅａ  Ｎｅｔｗｏｒｋ）によりホームネットワークと接続して動画番組が共有可能な携帯端末、携帯端末の操作方法、携帯端末の操作プログラム、動画再生システムに関する。
【背景技術】
【０００２】
携帯端末の多機能化が進み、カメラ機能、ワンセグ放送（地上波ディジタルテレビ放送のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）セグメントのうちの１セグメントを使って行うテレビ放送）の受信機能、ＧＰＳ（Ｇｌｏｂａｌ  Ｐｏｓｉｔｉｏｎｉｎｇ  Ｓｙｓｔｅｍ）機能等、様々な操作をすることが可能な携帯端末が登場してきている。
【０００３】
また、ＤＬＮＡ（Ｄｉｇｉｔａｌ  Ｌｉｖｉｎｇ  Ｎｅｔｗｏｒｋ  Ａｌｌｉａｎｃｅ）に対応のＷＬＡＮを搭載した携帯端末も標準的になりつつある。ＤＬＮＡは、動画や静止画、音楽等のコンテンツデータをやり取りするためのもので、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）による著作権保護技術をサポートしている。ＤＬＮＡに対応のＷＬＡＮを搭載した携帯端末では、ＤＬＮＡに対応可能なサーバーやテレビ受信機等の機器と、ホームネットワークを介して接続し、動画番組の共有が可能である。すなわち、ＤＬＮＡに対応のＷＬＡＮを搭載した携帯端末では、ＤＬＮＡに対応可能なサーバーやテレビ受信機等の機器とホームネットワークを介して接続し、サーバーに蓄積されている番組を携帯端末に送って再生したり、テレビ受信機で受信したディジタルテレビ放送の番組をサーバーを介して携帯端末に送って視聴したりすることができる。なお、このように、ＤＬＮＡによるホームネットワークを介して動画番組を共有することについては、例えば、特許文献１に記載されている。
【０００４】
また、近年、スマートフォンと呼ばれる高機能携帯端末が登場してきている。スマートフォンでは、各種の入力がタッチパネル操作部により行うことができる。タッチパネル操作部では、物理的に操作キーが不要になるため、小型、軽量化が可能である。また、タッチパネル操作部では、アイコンやボタンをディスプレイ上に自在に配置して、より親和性の高いユーザインターフェースを提供できる。更に、近年のタッチパネル操作部では、タッチパネルに指を触れて所定の方向に指を移動させると、その指の動きに応じて入力操作を行うことができる機能をサポートしているものが多い。このような入力操作は、ジェスチャー入力と呼ばれている。ジェスチャー入力では、指の動きに応じて、各種の操作をより直感的に行うことができる。
【先行技術文献】
【特許文献】
【０００５】
【特許文献１】特開２００８−２０６０７７号公報
【発明の概要】
【発明が解決しようとする課題】
【０００６】
上述のように、ＤＬＮＡに対応可能な携帯端末では、ホームネットワークと接続し、テレビ放送番組やサーバーに録画した番組を共有することができる。このようなＤＬＮＡに対応可能な携帯端末が普及すると、その使用法も多種、多様になると考えられる。
【０００７】
例えば、入浴中にテレビ放送を視聴したいという要望は多く、ワンセグ放送の受信機能を有する携帯端末を風呂場に持ち込んで、テレビ放送の視聴を試みたユーザは多い。しかしながら、風呂場は建物内の遮蔽されたところにあり、ワンセグ放送が良好に受信できないことが多い。このような環境下でも、ＤＬＮＡに対応可能な携帯端末では、ホームネットワークを介してテレビ受信機と接続し、テレビ受信機で受信した放送番組を携帯端末に転送するようにすれば、テレビ放送番組を良好な受信状態で楽しむことができる。
【０００８】
このように、多くのユーザが多種多様な用途で、ＤＬＮＡに対応可能な携帯端末を使用するようになると、その操作方法に対する要望も、多種多様になると考えられる。すなわち、通常、テレビ受信機やビデオ録画／再生機では、リモコンによるボタン操作で、チャンネルの切り替えや、記録、再生、停止等の操作が行われている。このようなリモコン操作に慣れているユーザにとっては、携帯端末をリモコンと同様に操作できることが望まれる。一方、入浴中にテレビ放送番組を楽しむようなユーザにとっては、入浴しながら画面を注視せずに携帯端末を操作できるような、より簡便で、直感的な操作が望まれる。
【０００９】
上述の課題を鑑み、本発明は、ＷＬＡＮによりホームネットワークと接続して動画番組が共有可能であると共に、多種多様なユーザの用途に応じて使用環境を設定できる携帯端末、携帯端末の操作方法、携帯端末の操作プログラム、動画再生システムを提供することを目的とする。
【課題を解決するための手段】
【００１０】
上述の課題を鑑み、本発明に係る携帯端末は、ホームネットワークを介して動画番組を共有する手段と、表示パネルにタッチパネルを積層してなるタッチパネル操作部と、機器の方向を検出する手段と、ホームネットワークを介して共有している動画番組に関する操作を行う際に、検出された機器の方向に応じて、タッチパネル操作部を、キーを表示し当該キーへのタッチを検出して所望の動作に設定するモードと、タッチした動きを検出して所望の動作に設定するモードとに切り替える手段とを具備することを特徴とする。
【００１１】
本発明に係る携帯端末の操作方法は、ホームネットワークを介して動画番組を共有する機能を有する携帯端末の操作方法であって、表示パネルにタッチパネルを積層してなるタッチパネル操作部を設けると共に、機器の方向を検出する手段を設け、ホームネットワークを介して共有している動画番組に関する操作を行う際に、機器の方向を検出し、検出された機器の方向に応じて、タッチパネル操作部を、キーを表示し当該キーへのタッチを検出して所望の動作に設定するモードと、タッチした動きを検出して所望の動作に設定するモードとに切り替えることを特徴とする。
【００１２】
本発明に係る携帯端末の操作プログラムは、ホームネットワークを介して動画番組を共有する機能を有する携帯端末の操作プログラムであって、ホームネットワークを介して共有している動画番組に関する操作をする際に、機器の方向を検出するステップと、検出された機器の方向に応じて、タッチパネル操作部を、キーを表示し当該キーへのタッチを検出して所望の動作に設定するモードと、タッチした動きを検出して所望の動作に設定するモードとに切り替えるステップとを含むことを特徴とする。
【００１３】
本発明に係る動画再生システムは、ホームネットワークを介して接続され、共有している動画番組を携帯端末で視聴可能な動画再生システムであって、携帯端末は、ホームネットワークを介して動画番組を共有する手段と、表示パネルにタッチパネルを積層してなるタッチパネル操作部と、機器の方向を検出する手段と、ホームネットワークを介して共有している動画番組に関する操作を行う際に、検出された機器の方向に応じて、タッチパネル操作部を、キーを表示し当該キーへのタッチを検出して所望の動作に設定するモードと、タッチした動きを検出して所望の動作に設定するモードとに切り替える手段とを具備することを特徴とする。
【発明の効果】
【００１４】
本発明によれば、ホームネットワークを介して共有している動画番組に関する操作を行う際に、携帯端末を縦方向にして操作を行うと、リモコン画面モードとなり、通常のリモコンと同様に操作を行うことができ、携帯端末を横方向にして操作を行うと、視聴再生モード又はテレビ視聴モードとなり、ジェスチャー入力により、各種の操作を直感的に行うことができる。これにより、多種多様なユーザの用途に応じて使用環境を設定できる。
【図面の簡単な説明】
【００１５】
【図１】本発明の第１の実施形態に係る携帯端末の内部構成を示すブロック図である。
【図２】ホームネットワークシステムの一例のブロック図である。
【図３】携帯端末の方向によりタッチパネル操作部の機能を切り替えるための処理を示すフローチャートである。
【図４】ＤＬＮＡサーバーで蓄積した動画番組を携帯端末で再生する場合の操作の具体例の説明図である。
【図５】テレビ受信機で受信した動画番組を携帯端末で再生する場合の操作の具体例の説明図である。
【図６】テレビ受信機で受信した動画番組を携帯端末で再生する場合の操作の具体例の説明図である。
【発明を実施するための形態】
【００１６】
以下、本発明の実施の形態について図面を参照しながら説明する。図１は、本発明の第１の実施形態に係る携帯端末１の内部構成を示すブロック図である。この携帯端末１は、スマートフォンと呼ばれる多機能型の携帯端末である。
【００１７】
図１において、主制御部１１は、ＣＰＵ（Ｃｅｎｔｒａｌ  Ｐｒｏｃｅｓｓｉｎｇ  Ｕｎｉｔ）等からなり、携帯端末１の全体の動作の制御を行っている。ＲＯＭ（Ｒｅａｄ  Ｏｎｌｙ  Ｍｅｍｏｒｙ）１２には、ブートプログラム、基本プログラムが保存されている。フラッシュメモリ１３には、各種のプリセットデータ、写真情報等、各種の保存データ、各種のアプリケーションプログラムが記憶される。ＲＡＭ（Ｒａｎｄｏｍ  Ａｃｃｅｓｓ  Ｍｅｍｏｒｙ）１４は、データ処理用のメモリである。
【００１８】
主制御部１１に対して、タッチパネル操作部１５を構成する表示パネル１６及びタッチパネル１７が設けられる。表示パネル１６は、ＬＣＤ（Ｌｉｑｕｉｄ  Ｃｒｙｓｔａｌ  Ｄｉｓｐｌａｙ）ディスプレイや有機ＥＬ（Ｅｌｅｃｔｒｏ  Ｌｕｍｉｎｅｓｃｅｎｃｅ）ディスプレイからなり、主制御部１１からの各種の情報を表示する。タッチパネル１７は、押圧を受けると、その押圧された部分の座標に対応する検出信号を主制御部１１に出力する。タッチパネル１７としては、静電容量方式や抵抗膜方式等、各種のものが使用できる。タッチパネル１７は表示パネル１６上に積層して配置される。
【００１９】
タッチパネル操作部１５への入力操作では、単に、指が触れたかどうかによりタッチ入力ばかりでなく、ジェスチャー入力を行うことができる。ジェスチャー入力は、指をタッチパネル操作部１５に触れ、更に指を所定の動き方で移動させるようにして、所定の入力を行うものである。
【００２０】
ジェスチャー入力の代表的なものに、指をタッチパネル操作部１５に触れ、直線上にスライドさせる操作や、２本の指をタッチパネル操作部１５に触れ、この２本の指を広げるように又は近づけるように動かす操作等がある。
【００２１】
また、主制御部１１に対して、加速度センサ２０及び近接センサ２１が設けられる。加速度センサ２０は、携帯端末１の重力に対する方向や傾きを検知している。近接センサ２１は、携帯端末１に対する物体や人物の接近の検知している。
【００２２】
無線通信部２２は、基地局との間で、電波の送受信を行うものである。通信方式としては、ＰＤＣ（Ｐｅｒｓｏｎａｌ  Ｄｉｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（Ｗｉｄｅｂａｎｄ  ＣＤＭＡ）等がある。本発明では、どのような通信方式を用いても良い。
【００２３】
マイクロホン２３及びスピーカ２４は、電話利用時に、送受話を行う場合等に用いられる。音声処理部２５は、入力音声信号や出力音声信号の処理を行っている。
【００２４】
カメラ部２６は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）等のイメージセンサからなる。カメラ部２６は、人物や風景を撮影したりするのに利用される他、ＱＲコード等の入力に利用される。
【００２５】
カードドライブ部２７は、ＳＤカード（登録商標）等のメモリカードの記録／再生を行うものである。
【００２６】
ＧＰＳ（Ｇｌｏｂａｌ  Ｐｏｓｉｔｉｏｎｉｎｇ  Ｓｙｓｔｅｍ）機能部２８は、複数の衛星からの電波を受信して、現在地を測位するものである。近距離通信部２９は、他の周辺機器との無線で接続してデータの送受信を行うものである。通信方式としては、例えば、Ｂｌｕｅｔｏｏｔｈ（登録商標）が用いられる。
【００２７】
ＷＬＡＮ（Ｗｉｒｅｌｅｓｓ  Ｌｏｃａｌ  Ａｒｅａ  Ｎｅｔｗｏｒｋ）通信部３０は、ＩＥＥＥ８０２．１１ｂ／ｇ／ｎ対応の無線ＬＡＮ機能を提供するものであり、ＤＬＮＡ（Ｄｉｇｉｔａｌ  Ｌｉｖｉｎｇ  Ｎｅｔｗｏｒｋ  Ａｌｌｉａｎｃｅ）に対応している。ＤＬＮＡは、動画や静止画、音楽等のコンテンツデータを共有するためのもので、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）による著作権保護技術をサポートしている。赤外線送受信部３１は、他の機器を赤外線でデータを送受するためのものである。
【００２８】
このように、本発明の第１の実施形態に係る携帯端末１では、ＤＬＮＡに対応するＷＬＡＮ通信部３０を備えている。このようなＷＬＡＮを利用して、ホームネットワークを介して動画番組を共有するホームネットワークシステムを構築することができる。
【００２９】
図２は、このようなホームネットワークシステムの一例である。図２において、ＤＬＮＡサーバー１０１は、録画機能を有するサーバーである。テレビ受信機１０２は、地上波ディジタル放送、ディジタルＢＳ（Ｂｒｏａｄｃａｓｔｉｎｇ  Ｓａｔｅｌｌｉｔｅ）放送、ディジタルＣＳ（Ｃｏｍｍｕｎｉｃａｔｉｏｎ  Ｓａｔｅｌｌｉｔｅ）放送を受信するテレビ受信機である。これらＤＬＮＡサーバー１０１及びテレビ受信機１０２は、ＤＬＮＡによるホームネットワークにより、互いにデータのやり取りが可能である。本発明の第１の実施形態では、このようなホームネットワークに、更に、携帯端末１がＤＬＮＡにより接続される。
【００３０】
このように、携帯端末１をホームネットワークに接続すると、ＤＬＮＡサーバー１０１、テレビ受信機１０２、携帯端末１で、互いに、動画番組の共有が可能である。すなわち、このようなホームネットワークシステムでは、携帯端末１は、ＷＬＡＮによりＤＬＮＡサーバー１０１に接続することで、ＤＬＮＡサーバー１０１に蓄積されている動画番組を再生したり、テレビ受信機１０２で受信した動画番組をＤＬＮＡサーバー１０１を介して転送して視聴したりすることができる。
【００３１】
携帯端末１で、ＤＬＮＡサーバー１０１に蓄積されている動画番組を再生する場合には、携帯端末１からＤＬＮＡサーバー１０１にリクエストが送られ、このリクエストに応じて、ＤＬＮＡサーバー１０１から携帯端末１に、再生動画番組のデータが送られる。このとき、ＤＬＮＡサーバー１０１により、携帯端末１の表示サイズに応じて、動画の表示サイズが圧縮されて転送される。
【００３２】
携帯端末１で、テレビ受信機１０２で受信している動画番組を再生する場合には、携帯端末１からＤＬＮＡサーバー１０１を介してテレビ受信機１０２にリクエストが送られ、このリクエストに応じて、テレビ受信機１０２から携帯端末１にＤＬＮＡサーバー１０１を介して、受信動画番組が転送される。このとき、ＤＬＮＡサーバー１０１により、携帯端末１の表示サイズに応じて、動画の表示サイズが圧縮されて転送される。
【００３３】
次に、携帯端末１でＤＬＮＡサーバー１０１に蓄積されている動画番組を再生したり、テレビ受信機１０２で受信した動画番組を視聴したりする場合の操作について説明する。
【００３４】
前述したように、本発明の第１の実施形態に係る携帯端末１では、タッチパネル操作部１５が設けられている。ＤＬＮＡサーバー１０１に蓄積されている動画番組を再生したり、テレビ受信機１０２で受信した動画番組を視聴したりする操作は、このタッチパネル操作部１５の操作により行うことができる。このとき、タッチパネル操作部１５の機能は、携帯端末１の方向により切り替えられる。
【００３５】
つまり、リモコンは通常縦長であり、動画の再生画面は通常横長である。このため、携帯端末１を縦方向に向けたときにタッチパネル操作部１５がリモコン画面となれば、リモコンと同様なキー配列で操作を行うことができる。また、携帯端末１を横方向に向けたときに、タッチパネル操作部１５がジェスチャー入力可能となれば、動画の再生画面を見ながら、各種の操作をジェスチャー入力により、直感的に行うことができる。
【００３６】
図３は、上述のように、携帯端末１の方向によりタッチパネル操作部の機能を切り替えるための処理を示すフローチャートである。
【００３７】
図３に示すように、テレビ視聴アプリケーションを立ち上げ、携帯端末１がＷＬＡＮによりＤＬＮＡサーバー１０１に接続されると（ステップＳ１）、主制御部１１は、ＤＬＮＡサーバー１０１に保存されている録画番組を再生するか、テレビ受信機１０２で受信されたテレビ番組を見るかの選択画面をタッチパネル操作部１５に表示する（ステップＳ２）。
【００３８】
ステップＳ２で、録画番組の再生が選択されると、主制御部１１は、加速度センサ２０の検出出力を取り込み、携帯端末１の方向を判定する（ステップＳ３）。ステップＳ３で、携帯端末１の方向が縦方向であると判定された場合には、主制御部１１は、タッチパネル操作部１５をリモコン画面モードに設定し（ステップＳ４）、タッチパネル操作部１５にリモコン画面を表示する（ステップＳ５）。リモコン画面モードでは、通常のリモコン操作と同様に、再生、停止、早送り、巻き戻し、別の動画番組への切り替え等の操作をキー入力で行うことができる（ステップＳ６）。
【００３９】
ステップＳ３で、携帯端末１の方向が横方向であると判定された場合には、主制御部１１は、タッチパネル操作部１５を視聴再生モードに設定し（ステップＳ７）、タッチパネル操作部１５にサムネイル表示から録音動画番組を再生させる画面を表示する（ステップＳ８）。視聴再生モードでは、再生、停止、早送り、巻き戻し、別の動画番組への切り替え等の操作を、携帯端末１の傾きやタッチパネル操作部１５へのジェスチャー入力で行うことができる（ステップＳ９）。
【００４０】
ステップＳ２で、テレビ番組の視聴が選択されると、主制御部１１は、加速度センサ２０の検出出力を取り込み、携帯端末１の方向を判定する（ステップＳ１０）。ステップＳ１０で、携帯端末１の方向が縦方向であると判定された場合には、主制御部１１は、タッチパネル操作部１５をリモコン画面モードに設定し（ステップＳ１１）、タッチパネル操作部１５にリモコン画面を表示する（ステップＳ１２）。リモコン画面モードでは、通常のリモコン操作と同様に、チャンネルの切り替え、２画面表示、視聴動画番組の録画等の操作をキー入力で行うことができる（ステップＳ１３）。
【００４１】
ステップＳ１０で、携帯端末１の方向が横方向であると判定された場合には、主制御部１１は、タッチパネル操作部１５をテレビ視聴モードに設定し（ステップＳ１４）、タッチパネル操作部１５にテレビ放送の受信番組を表示する（ステップＳ１５）。テレビ視聴モードでは、チャンネルの切り替え、チューナの切り替え、２画面表示等の操作を、タッチパネル操作部１５へのジェスチャー入力で行うことができる（ステップＳ１６）。
【００４２】
図４は、ＤＬＮＡサーバー１０１で蓄積した動画番組を携帯端末１で再生する場合の操作の具体例を示すものである。
【００４３】
ユーザが録画番組の再生を選択し、携帯端末１を縦方向にすると、図４（Ａ）に示すようなリモコン画面モードとなり、横方向にすると、図４（Ｂ）に示すような視聴再生モードとなる。
【００４４】
図４（Ａ）に示すように、リモコン画面モードでは、タッチパネル操作部１５に、リモコンと同様なキーが表示される。このようなリモコン画面モードでは、通常のリモコンと同様に、キーへのタッチを検出して、所望の操作が行われる
【００４５】
図４（Ｂ）に示すように、視聴再生モードの場合には、ＤＬＮＡサーバー１０１で蓄積した動画番組の一覧のサムネイル画面がタッチパネル操作部１５に表示される。ここで、ユーザが所望の動画番組のサムネイル画面をタッチすると、その動画番組の再生が開始される。
【００４６】
ＤＬＮＡサーバー１０１で蓄積した動画番組を視聴する際には、主に再生、停止、早送り、巻き戻し、別の録画番組を見る等の操作が必要になる。本発明の第１の実施形態では、視聴再生モードに設定されると、ユーザが携帯端末１を傾けることや、ジェスチャー入力を行うことにより、これらの操作を行うことができる。
【００４７】
すなわち、動画番組を再生後、早送り、巻き戻しを行う場合は、図４（Ｃ）及び図４（Ｄ）に示すように、ユーザは携帯端末１を傾ける。また、早送り、巻き戻しのスピードを調節する場合には、ユーザは、スピードに応じて、その傾きの角度を変更する。また、携帯端末１を水平にすると、早送り、巻き戻しを停止させることができる。また、画面をタップすることにより、再生を一時停止させることができる。
【００４８】
図４（Ｅ）は、視聴再生モードで１つの動画番組を再生中に、別の動画番組に切り替えて再生を行う場合の操作を示している。図４（Ｅ）に示すように、ユーザがタッチパネル操作部１５を指でスライドするようなジェスチャー入力行うと、現在視聴している動画番組から前後の時間に録画した録画番組に切り替われる。また、一動画番組をいくつか分割しているときは、同様のジェスチャー入力により、次の分割先に切り替えることができる。
【００４９】
また、図４（Ｆ）に示すように、ユーザが２本の指を近づけるようにスライドさせるようなジェスチャー入力を行うことで、図４（Ｂ）に示したようなサムネイル画面に戻すことができる。このようなサムネイル画面では、別の動画番組をタッチして選択して、再生を開始することができる。
【００５０】
次にテレビ放送視聴の場合について説明する。図５及び図６は、テレビ受信機１０２で受信した動画番組を携帯端末１で再生する場合の操作の具体例を示すものである。
【００５１】
ユーザがテレビ番組の視聴を選択し、携帯端末１を縦方向にすると、図５（Ａ）に示すようなリモコン画面モードとなり、横方向にすると、図５（Ｂ）に示すようなテレビ視聴モードとなる。
【００５２】
図５（Ａ）に示すように、リモコン画面モードでは、タッチパネル操作部１５に、リモコンと同様なキーが表示される。このようなリモコン画面モードでは、通常のリモコンと同様に、キーへのタッチを検出して、所望の操作が行われる。
【００５３】
テレビ放送を視聴するときの主な操作としては、チャンネル変更、チューナ変更（地上波ディジタル放送、ディジタルＢＳ放送、ディジタルＣＳ放送など）、２画面表示、録画開始・停止、動画番組表表示の機能が必要になる。本発明の第１の実施形態では、テレビ視聴モードに設定すると、タッチパネル操作部１５へのジェスチャー入力を行うことにより、これらの操作を行うことができる。また、タッチパネル操作部１５へのタッチ入力やジェスチャー入力により、データ放送の受信操作を行うことができる。
【００５４】
図５（Ｃ）に示すように、ユーザがタッチパネル操作部１５を指で横にスライドするようにジェスチャー入力を行うと、チャンネルを切り替えることができる。また、図５（Ｄ）に示すように、ユーザがタッチパネル操作部１５に対して指を縦方向にスライドするようにジェスチャー入力により、地上波ディジタル放送、ＢＳ放送、ＣＳ放送の順にチューナを切り替えることができる。
【００５５】
図５（Ｅ）に示すように、ユーザがタッチパネル操作部１５の画面をその中心で縦方向に指でスライドするようにジェスチャー入力を行うと、タッチパネル操作部１５のテレビ画面は２画面表示となる。このような２画面表示で、片方のチャンネルを変更する場合は、前述したように、ユーザはタッチパネル操作部１５を指で横にスライドするようにジェスチャー入力を行う。また、２画面表示で、左側又は右側の画面を拡大又は縮小したい場合は、図５（Ｆ）に示すように、ユーザは、タッチパネルの左側又は右側にタッチされた２つの指を広げる又は狭めるようにスライドさせるようにジェスチャー入力を行う。これにより、２画面のうちのスライドされた側の画面を拡大又は縮小させることができる。
【００５６】
２画面表示を中止する場合は、図６（Ａ）に示すように、ユーザが必要なくなった方の画面に対して斜線を引くように指でスライドさせるか、又は、その画面に対してＸ印を描くようにジェスチャー入力を行う。又は、ユーザが必要な動画番組の画面の方を指でつまむようなジェスチャー入力を行って、必要な動画番組の画面を最大化させるようにしても良い。
【００５７】
また、テレビ受信機１０２で受信したデータ放送は、ＤＬＮＡサーバー１０１を介して、携帯端末１に転送し、携帯端末１で表示させることができる。データ放送は、ＢＭＬ（Ｂｒｏａｄｃａｓｔ  Ｍａｒｋｕｐ  Ｌａｎｇｕａｇｅ）と呼ばれる記述言語を使って行われる。ＢＭＬは、Ｗｅｂページの記述言語のＸＨＴＭＬ（ｅＸｔｅｎｓｉｂｌｅ  ＨＴＭＬ）を基本に、動画や音声の制御を中心とする拡張が図られたマークアップ言語である。データ放送受信時には、タッチパネル操作部１５の画面上でのタッチ入力やジェスチャー入力で、各種の情報を表示できる。
【００５８】
データ放送では、例えばスポーツ選手やタレントが出ている動画番組では、その人物に関する情報がＢＭＬのリンク情報として送られている場合には、図６（Ｂ）に示すように、ユーザがその人物をタッチすることにより、その人物の情報が表示される。例えば、以下の処理によって当該処理を実現する。
まず、ＢＭＬに顔画像と当該顔画像に関連する関連情報の組み合わせが複数含まれている場合、主制御部１１は、当該ＢＭＬに含まれる顔画像それぞれの特徴点を算出し、ＲＡＭ１４に記録する。次に、タッチパネル１７のタッチ入力を検知したときに、タッチ入力されたときの画像の、タッチされた座標に存在する顔の特徴点を算出する。そして、主制御部１１は、ＲＡＭ１４に記憶された特徴点のうち、タッチされた座標における顔の特徴点と類似するものに関連付けられた関連情報を読み出し、当該関連情報を表示パネル１６に表示させる。
【００５９】
また、ユーザが２つの指を使って拡大したいところをつまんで広げるようなジェスチャー入力を行うことで、人物の表示を拡大させることができる。同様に、ユーザが２つの指を使って縮小したいところをつまんで狭めるようなジェスチャー入力を行うことで、人物の表示を縮小させることができる。情報画面を消す場合は、ユーザが情報画面を斜めになぞるようにジェスチャー入力を行うか、又は角のＸ部をタッチする。
【００６０】
また、視聴している動画番組を録画したい場合、図６（Ｃ）に示すように、ユーザがリモコン画面モードに設定し、録画ボタン２０１をタッチすることで、テレビ受信機１０２側の録画機又は携帯端末１側に録画が可能である。リモコン画面モードは、前述したように、携帯端末１を縦方向にすることで設定される。
【００６１】
ユーザがリモコン画面モードに設定して、録画ボタン２０１を押すと、画面上に「テレビで録画」「ＳＤカードで録画」「両方で録画」のポップアップ２０２が表示される。このポップアップで録画先が選択できる。停止する場合には、ユーザはリモコンモードで停止ボタン２０３を押す。
【００６２】
以上説明したように、本発明に係る携帯端末１では、ホームネットワークを介して共有している動画番組に関する操作を行う際に、携帯端末１を縦方向にして操作を行うと、リモコン画面モードとなり、通常のリモコンと同様に操作を行うことができ、携帯端末１を横方向にして操作を行うと、視聴再生モード又はテレビ視聴モードとなり、ジェスチャー入力により、各種の操作を直感的に行うことができる。
【００６３】
なお、携帯端末１をテレビ受信機１０２が設置されている部屋で使用した場合、携帯端末１の画面とテレビ受信機１０２の画面が同一になるため、携帯端末１での操作がテレビ受信機１０２の画面にも反映される。よって、携帯端末１はテレビ受信機１０２のリモコンとしても使用可能となる。
【００６４】
また、携帯端末１で常にテレビ受信画面を表示していると、携帯端末１のバッテリーの消耗が速くなる。そこで、近接センサ２１により例えば携帯端末１が裏返しに置かれている状態を検出し、携帯端末１が裏返しに置かれていれば、画面表示を停止させるように制御しても良い。このようにすれば、不使用時には携帯端末を裏返しに置くようにすることで、バッテリーの消耗を防ぐことができる。
【００６５】
また、本発明の第１の実施形態に係る携帯端末１では、テレビのチャンネル設定を行う際に、携帯端末１のＧＰＳ機能部２８により地域特定し、自動でチャンネル設定を行うことが可能である。
【００６６】
また、上述の多機能型の携帯端末１では、ワンセグ放送の受信機能を有していないが、ワンセグ機能の搭載された携帯端末の場合は、テレビからの画像転送は不要で、ワンセグ画面から同様の機能が実現できる。ただし、このような場合にも、電波の受信状況が悪い場合には、テレビ受信機で受信したデータ放送を、ＤＬＮＡサーバーを介して、携帯端末に転送することで、良好な受信状態で、テレビ番組を視聴することができる。
【００６７】
また、ここでは、多機能型の携帯端末を例にとり、説明したが、本発明は、ＤＬＮＡに接続でき、加速度センサ及びタッチパネルを搭載した機器であれば、他の機器にも同様に適用できる。
【００６８】
本発明は、上述した実施形態に限定されるものではなく、この発明の要旨を逸脱しない範囲内で様々な変形や応用が可能である。
【符号の説明】
【００６９】
１：携帯端末
１１：主制御部
１２：ＲＯＭ
１３：フラッシュメモリ
１４：ＲＡＭ
１５：タッチパネル操作部
１６：表示パネル
１７：タッチパネル
２０：加速度センサ
２１：近接センサ
２２：無線通信部
２５：音声処理部
２６：カメラ部
２７：カードドライブ部
２８：ＧＰＳ機能部
２９：近距離通信部
３０：ＷＬＡＮ通信部
３１：赤外線送受信部
１０１：ＤＬＮＡサーバー
１０２：テレビ受信機
【図１】
2012253716.tif 000003
【図２】
2012253716.tif 000004
【図３】
2012253716.tif 000005
【図４】
2012253716.tif 000006
【図５】
2012253716.tif 000007
【図６】
2012253716.tif 000008